(57)【要約】【課題】撮影に好適な視度で良好な撮影が行われるカメラを提供すること。【解決手段】  ズームファインダ１０１のファインダ接眼部１０１Ａをカメラから突出して設ける。またカメラの背面側からそのファインダ接眼部１０１Ａを見て右側の位置にズームスイッチ１７を設ける。さらに視度補正用の回転式のダイヤル１９を、そのファインダ接眼部１０１Ａのズームスイッチ１７側の側面に設ける。このダイヤル１９は、ファインダ接眼部１０１Ａの先端面とカメラ背面との間に設けられた格好になり、誤操作される率がかぎりなく低減される。【選択図】  図２
2005274978.tif 000002
【特許請求の範囲】
【請求項１】
撮影光学系を経由して入射してきた被写体光を捉えることにより撮影を行なうカメラにおいて、
ファインダ接眼窓を有しカメラ背面から突出したファインダ接眼部を備えた、視度補正機能付きのファインダと、
前記ファインダ接眼部との間に所定の間隔を置いた位置にカメラ背面から突出した第１の操作子とを具備し、
前記ファインダが、前記ファインダ接眼部の、前記操作子側の側面に視度補正用の第２の操作子を備えたことを特徴とするカメラ。
【請求項２】
前記撮影光学系が焦点距離可変な撮影光学系であって、前記第１の操作子が、カメラ背面を見たときの前記ファインダ接眼部の右に位置する、前記撮影光学系の焦点距離調整用の操作子であることを特徴とする請求項１記載のカメラ。
【発明の詳細な説明】
【技術分野】
【０００１】
本発明は、撮影光学系を経由して入射してきた被写体光を捉えることにより撮影を行なうカメラに関する。
【背景技術】
【０００２】
カメラに装備されたファインダの中には撮影者の視力にあわせて視度を補正することができるものがある。この視度を補正機能付きのファインダを備えたカメラの中には、視度の補正を行う操作子を備え、その操作子を操作することにより、ファインダの中のレンズを光軸方向に移動させ、撮影者に視力にあわせて視度の調整を行なうものがある（特許文献１参照）。
【０００３】
しかしながら、ソフトケース等にしまう際、操作子がケースと接触し操作子が移動し、視度がずれてしまったり、この操作子の配置によっては、撮影を行おうとしているときにその操作子にうっかり触れてしまい、折角調整した視度がずれてしまって撮影光学系ではピントがあっているにも拘わらず、ファインダを覗いている撮影者にはピンボケの被写体像が視認されてしまうことがある。
【０００４】
これを防止するために視度を補正する操作子を操作し難い位置に設けることも考えられるが、そうすると視度を調節するためにわざわざその操作し難い位置にある操作子を操作しなければならず、操作性が低下するという問題がある。
【特許文献１】特開２００２−７２２９２号公報
【発明の開示】
【発明が解決しようとする課題】
【０００５】
本発明は、上記事情に鑑み、携帯時に不用意に触れることがなく、また撮影時にもうっかりと触れることがなく、かつ良好な操作性を持つ視度補正用の操作子を備えたカメラを提供することを目的とする。
【課題を解決するための手段】
【０００６】
上記目的を達成する本発明のカメラは、撮影光学系を経由して入射してきた被写体光を捉えることにより撮影を行なうカメラであって、
ファインダ接眼窓を有しカメラ背面から突出したファインダ接眼部を備えた、視度補正機能付きのファインダと、
上記ファインダ接眼部との間に所定の間隔を置いた位置にカメラ背面から突出した第１の操作子とを具備し、
上記ファインダが、上記ファインダ接眼部の、上記操作子側の側面に視度補正用の第２の操作子を備えたことを特徴とする。
【０００７】
このように上記視度補正用の第２の操作子が、上記ファインダ側との間に所定の間隔を置いた位置にカメラ背面から突出して設けられた上記第１の操作子側の側面に設けられると、その第２の操作子がファインダ接眼部の突出した先端面とカメラ背面との間に位置するような格好になってファインダ接眼部を覗きながら撮影を行なおうしているときに、撮影者が意図して上記第２の操作子を操作しようとしない限り、誤って第２の操作子を操作してしまう率が低減される。その結果、撮影時にうっかりと触れることがなく、かつ良好な操作性を持つ視度補正用の操作子を備えたカメラが実現される。また、２つの突出部の間なので、携帯時やソフトケースへの出し入れ時に不用意に上記第２の操作子に触れてしまって折角あわせた視度がずれてしまうこともない。
【０００８】
ここで、上記撮影光学系が焦点距離可変な撮影光学系であって、上記第１の操作子が、カメラ背面を見たときの上記ファインダ接眼部の右に位置する、上記撮影光学系の焦点距離調整用の操作子であることが好ましい。
【０００９】
上記撮影光学系の焦点距離調整用の操作子によりその撮影光学系の焦点距離を調整して被写体像の倍率を変化させる操作が行われた場合、撮影者によってはその倍率によって被写体像がぼけて見えるようなことがある。
【００１０】
通常、カメラは測距装置の測距結果に基づいてピントがあっているか否かを表示する発光体をファインダ内あるいはファインダ近傍に備えているものが多い。
【００１１】
そこで例えばこのカメラが、撮影者が上記ファインダを覗いているときにピントがあっているかどうかをファインダ内あるいはファインダ近傍に表示させるものであったとすると、撮影者は上記撮影光学系の焦点距離調整用の操作子を右手で操作した後、このカメラの撮影光学系のピントがあっているという根拠に基づいて、上記ファインダ接眼部の、上記操作子側の側面に設けられた視度補正用の第２の操作子を、そのファインダを覗きながら同じ右手で操作して視度の再補正を行うことができる。つまり、ファインダで視認される被写体像のピントが自分の視力によりぼけているのか、カメラの撮影光学系のピントずれによるものかが撮影者により的確に判断され、ファインダを覗きながら視度の補正が的確に行われる。このようにしておくと、操作性がさらに向上して、より一層良好な撮影が行われる。
【発明の効果】
【００１２】
以上、説明したように、うっかりと触れることなく、かつ良好な操作性を持つ視度補正用の操作子を備えたカメラが実現される。
【発明を実施するための最良の形態】
【００１３】
以下図面を参照して本発明の実施の形態を説明する。
【００１４】
図１は、本発明の一実施形態であるカメラの外観を示す斜視図である
図１に示すようにカメラボディ１ａの中央部にレンズ鏡胴１１が備えられており、そのレンズ鏡胴１１の上方には測光窓１２やＡＦ窓１３やファインダ窓１０１Ｅなどが配備されている。さらにそのファインダ窓１０１Ｅの横には閃光発光窓１４が設けられ、またカメラボディ１ａの上面にはレリーズ釦１５が設けられている。さらに背面側にはファインダ１０１のファインダ接眼部１０１Ａがカメラボディ１ａから突出するようにして設けられている。
【００１５】
このカメラ１は、焦点距離可変な撮影光学系を鏡胴１１内に備え、その鏡胴１１の伸縮により焦点距離が変更され、その焦点距離に応じた倍率で撮影が行われるものである。  
【００１６】
図２は図１のカメラの背面を示す図である。
【００１７】
その焦点距離の変更を指示するズームスイッチ１７がカメラ背面側に設けられており、
このズームスイッチ１７から所定の距離を置いてカメラボディ１ａから突出したファインダ接眼部１０１Ａが設けられている。またこのファインダ接眼部１０１Ａはファインダ接眼窓１０１Ｂを有しており、そのファインダ窓１０１Ｂを撮影者が覗くことにより被写体が視認される。このカメラが有するファインダは、視度補正機能付きのズームファインダ１０１であり、そのファインダ接眼部１０１Ａの、ズームスイッチ１７側の側面に視度補正用の回転式のダイヤル１９を備えている。このズームスイッチが本発明にいう第１の操作子にあたり、視度補正用の回転式のダイヤル１９が第２の操作子にあたる。そのズームスイッチ１７は、ファインダ接眼部１０１Ａとの間に所定の間隔を置いた位置にカメラ背面から突出して設けられており、視度補正用の回転式のダイヤル１９は、カメラ背面から突出した先端面とカメラ背面との間に設けられた格好になっている。したがって、ファインダ接眼部１０１Ａを覗いて撮影を行なおうとしているときに、不用意に視度補正用のダイヤル１９に触れてそのダイヤルを回転させてしまうといった事態が引き起こされ難い。
【００１８】
また、ズームスイッチ１７はファインダ接眼窓１０１Ｂを覗きながら右手で自在に操作することができるように、カメラ背面を見たときのファインダ接眼部１０１Ａの右に位置するところに設けられている。
【００１９】
また、ファインダ接眼部１０１Ａには、マクロ撮影モードを指定するマクロ釦１０１Ｃやレリーズ釦が半押しされたときにピントがあっているかどうかを撮影者に通知する発光体１０１Ｄが設けられている。レリーズ釦が半押しされるとカメラ内部の測距装置により測距が行われて点灯（測距ＯＫ）あるいは点滅（測距ＮＧ）によりピントがあっているかどうかがが撮影者に通知される。
【００２０】
このようにしておくとファインダ１０１を覗きレリーズ釦１５を半押ししてカメラの撮影光学系のピントがあっているかどうかを確認しながら、視度補正用のダイヤル１９を操作して視度の再補正を行うことができる。特にズームスイッチ１７を操作していると、ズームファインダ１０１も倍率が変わってしまうためその倍率によっては視度がずれたように感じられてしまうことがある。こういうときには、レリーズ釦１５を半押しして撮影光学系側のピントがあっているかどうかを発光体１０１Ｄで確認しながら視度補正用のダイヤル１９を再操作して自分の視力にあわせてファインダの視度を再補正することができる。
【００２１】
図３から図１０を参照して視度補正用の回転式のダイヤル１９とズームファインダ１０１とズームスイッチ１７との係わりを説明する。
【００２２】
図３は外装カバー１ａを外してカメラ内部を正面斜め上方から見た図であり、図４は外装カバーを外してカメラ内部を背面側から見た図である。
【００２３】
図３に示すように、鏡胴１１の上方にファインダ対物レンズを備えたファインダ１０１が設けられ、そのファインダ１０１の背面側に視度補正用の回転式のダイヤル１９を備えている。このファインダ１０１を背面側から見ると、図４に示すようにファインダ接眼部１０１Ａの隣に回転式のダイヤル１９が位置する。その回転式のダイヤルを背面から見て右側の位置にズームスイッチの接点１７ａが配設されている。この接点を覆うようにズームスイッチ１７が被せられる。
【００２４】
図５は、ズームファインダ部とその周辺に配備された部材をカメラ正面斜め上方から見た図である。
【００２５】
図５に示すようにファインダ窓１０１Ｅの後方背面に視度補正用のダイヤル１９が配設されている。このズームファインダが備えるファインダ光学系はファインダ窓１０１Ｅ後方に組み込まれる対物レンズ１０１（図９参照）を通して入射した被写体光を直線的に接眼レンズ１０４まで導くものではなく、プリズム１０３を用いて被写体光の進行方向を変えてプリズムの出射面に被写体像を導くものになっている。この関係については図９を説明するときに詳細に説明する。
【００２６】
図６は、ズームファインダ１０１のファインダ光学系が配設される部分を背面斜め上方から見た図である。
【００２７】
図６にはファインダの接眼レンズ１０４を光軸方向に前後させるようにファインダのファインダ接眼部の、ズームスイッチの接点１７ａ側の側面に視度補正用の第２の操作子を備えていることが示されている。
【００２８】
図７、図８は、ズームファインダ１０１のファインダ光学系の構成と、その光学系の中の接眼レンズと視度補正用のダイヤル１９との係わりを示す図である。
【００２９】
図７はズームスイッチ１７がＷＩＤＥ側にいっぱいに操作された場合のズームファインダ１０１のファインダ光学系の移動レンズ１０２１，１０２２それぞれの位置を説明する図であり、図８はズームスイッチ１７がＴＥＬＥ側にいっぱいに操作された場合のズームファインダ１０１のファインダ光学系の移動レンズ１０２１，１０２２それぞれの位置を説明する図である。
【００３０】
まず図７、図８を参照してズームファインダ１０１の構成を簡単に説明しておく。
【００３１】
図７に示すようにカム板１０５を鏡胴１１の伸縮に連動してカム板１０５の長手方向（図中矢印Ａ）に移動させ、ファインダ光学系内の移動レンズ１０２１，１０２２を光軸方向（図中矢印Ｂ）に移動させている。図７にはＷＩＤＥ状態のときのレンズの配置が示されている。
【００３２】
図７から分かるように対物レンズ１０１、プリズム１０３は、２本のガイド軸１０２Ａ，１０２Ｂそれぞれに保持され、各移動レンズ１０２１，１０２２のレンズ保持枠がその２本ガイド軸それぞれに移動自在に係合している。このようにしておくことで、対物レンズ１０１、プリズム１０３、２枚の移動レンズ１０２１，１０２２それぞれの光軸が一致して２枚の移動レンズ１０２１，１０２２が移動しても焦点面Ｆにピントのあった被写体像が結像する。
【００３３】
ズームスイッチ１７がＷＩＤＥ側いっぱいに操作されると、図７に示すようにカム板１０５の図中矢印Ａで示す方向のうち、左上方向いっぱいにカム板１０５が移動して、最大広角に対応する画角を持つ被写体が焦点面Ｆに結像される位置に各移動レンズ１０２１，１０２２が配置される。これに対しズームスイッチ１７がＴＥＬＥ側いっぱいに操作されると、図８に示すように、カム板１０５が、図中矢印Ａで示す方向のうち、右下方向いっぱいにカム板１０５が移動して最大望遠に対応する画角を持つ被写体が焦点面Ｆに結像される位置に各移動レンズ１０２１，１０２２が配置される。
【００３４】
ここで、焦点面Ｆの構成を、図９を参照して説明しておく。
【００３５】
図９は２本のガイド軸１０２Ａ，１０２Ｂにプリズム１０３それぞれの位置関係を示す図で、特に出射面に焦点面Ｆが形成されるプリズム１０３が２本のガイド軸１０２Ａ，１０２Ｂに装着される前の状態を示してある。さらにこのズームファインダ光学系の焦点面Ｆが分かるように視野枠１０３Ａが装着される前の状態も示してある。
【００３６】
対物レンズ１０１から入射した被写体光は、各移動レンズ１０２１，１０２２を通ってプリズム１０３に達し、プリズム１０３で進行方向を曲げられてプリズムの出射面である焦点面Ｆまで導かれる。この出射面が焦点面Ｆとなって焦点面Ｆにピントのあった被写体像が結像される。このピントのあった被写体像が接眼レンズ１０４から覗く撮影者によって視認される。なお、接眼レンズ１０４と焦点面の間には図７、図８に示すように接眼レンズ１０４を通して焦点面Ｆを視認することができるようにミラー１０４Ａが配設されている。
【００３７】
また、図９に示す視野枠１０３Ａがその焦点面Ｆに装着されると撮影者が接眼レンズ１０４を覗いたときに撮影光学系の画角と同じ被写体像が視認される。
【００３８】
このようにファインダ光学系の光軸がきちんと定められると焦点面Ｆも精度良く定められ、その焦点面に結像された被写体像を視認させるにあたり、接眼レンズ１０４を前後させるだけで撮影者の視力にあった視度が精度良く得られる。
【００３９】
このようなファインダ光学系を有するズームファインダ１０１の接眼レンズ１０４と視度調整用の回転式のダイヤル１９との係わりを、図１０を参照して説明する。
【００４０】
図１０は、接眼レンズ１０４と視度補正用の回転式のダイヤル１９との係わりを示す図である。また図７と図８にもこの係わりが示されているので、図７，図８，図１０を参照して視度補正用の回転式のダイヤル１９と接眼レンズ１０４との係わりを詳細に説明する。
【００４１】
図７，図８，図１０に示すようにこの視度補正用の回転式のダイヤル１９には、操作部の部分の径が大きくなっている円筒１９０が用いられている。その円筒１９０の操作部とは反対側の部分に、凹部１９１が形成され、この凹部１９１に接眼レンズ１０４を保持する保持枠から延設された腕部１０４１が係合している。
【００４２】
この凹部１９１は視度補正用の回転式のダイヤル１９が回転操作され、円筒１９０が回転したときにその回転に沿って腕部１０４１が光軸方向に移動するように凹部１９１には円筒１９０の外周面にそって傾斜が施されている。したがって、このカメラで撮影を行なおうとしている撮影者が視度補正用の回転式のダイヤル１９を回転させると、腕部１０４１がその凹部１９１の傾斜に沿って光軸方向に移動し、その腕部１０４１の延設された保持枠が接眼レンズ１０４とともに光軸方向に沿って移動する。この接眼レンズ１０４が光軸方向に沿って移動することによって焦点面Ｆに結ばれる被写体像を視認するための視度が撮影者の視力にあったものに補正されてピントのあった被写体像が視認される。このように撮影者の視力にあった視度に補正されたファインダで被写体像が視認されながら良好な撮影がこのカメラで行なわれる。
【００４３】
以上説明したように視度を調整するのに接眼レンズの位置を調整するだけで済むと、視度を調整する機構が簡単になるという効果がある。また、接眼レンズの位置を回転式のダイヤルの回転角に応じて前後させると、細かく接眼レンズの位置を調整することができる。またズームスイッチを操作しながら撮影を行なうときにも、本発明は効果的で、視度を再調整することがあっても、右手の指先で所定の力を加えて回転式のダイヤルを回転させることで撮影者にあった視度がすぐに得られるという効果もある。
【図面の簡単な説明】
【００４４】
【図１】本発明の一実施形態であるカメラの外観を示す斜視図である。
【図２】図１のカメラの背面を示す図である。
【図３】外装カバーを外してカメラ内部を正面斜め上方から見た図である。
【図４】外装カバーを外してカメラ内部を背面側から見た図である。
【図５】ズームファインダ部をカメラ正面斜め上方から見た図である。
【図６】ズームファインダが配設される部分を背面斜め上方から見た図である。
【図７】ズームスイッチ１７がＷＩＤＥ側に操作された場合のズームファインダ１０１のファインダ光学系のレンズ位置を説明する図である。
【図８】ズームスイッチ１７がＴＥＬＥ側に操作された場合のズームファインダ１０１のファインダ光学系のレンズ位置を説明する図である。
【図９】２本のガイド軸１０２Ａ，１０２Ｂに保持される対物レンズ１０１と２枚の移動レンズ１０２１，１０２２とプリズム１０３との位置関係を示す図である。
【図１０】接眼レンズ１０４と視度補正用の回転式のダイヤル１９との係わりを示す図である。
【符号の説明】
【００４５】
１    カメラ
１ａ    カメラボディ
１１    鏡胴
１２    測光窓
１３    ＡＦ窓
１４    閃光発光窓
１５    レリーズ釦
１６    閃光発光窓
１７    ズームスイッチ
１８    電源スイッチ
１９    視度補正用のダイヤル
１００    ズームファインダ
１０１    対物レンズ
１０２Ａ  １０２Ｂ  ガイド軸
１０２１    レンズ
１０２２      レンズ
１０３    プリズム
１０４    接眼レンズ
１０４Ａ    ミラー
１０４１    腕部
１０５    カム板
１０５１    １０５２    カム溝
Ｆ      焦点面
【図１】
2005274978.tif 000003
【図２】
2005274978.tif 000004
【図３】
2005274978.tif 000005
【図４】
2005274978.tif 000006
【図５】
2005274978.tif 000007
【図６】
2005274978.tif 000008
【図７】
2005274978.tif 000009
【図８】
2005274978.tif 000010
【図９】
2005274978.tif 000011
【図１０】
2005274978.tif 000012